(57)【特許請求の範囲】
【請求項１】
ボイラーに制御手順を指示するコンピュータと、このコンピュータに情報を入力する操作部と、前記コンピュータが前記ボイラーに対して指示する制御プログラムを格納してあるプログラムメモリと、このプログラムメモリに格納されているプログラム手順の中に選択肢がある場合に、いずれを選択するかを設定するための複数の設定値を記憶するデータメモリとを備えたボイラーの制御装置において、
前記データメモリは、初期状態の設定値を記憶する標準設定値記憶エリアと、前記初期状態の設定値の書き換え操作を行う操作部で書き換えられた初期状態の設定値を現在の設定値として記憶する現在設定値記憶エリアとを備え、
前記コンピュータに接続された表示部と、
前記初期状態の設定値と前記現在の設定値を比較する設定値比較手段と
を備え、
前記操作部の第1の操作で、異なる設定値の総数を前記表示部に表示し、
前記第1の操作に続く、前記操作部の第２の操作で、前記初期状態の設定値と前記現在の設定値とで値が異なる設定値の項目番号を前記表示部に表示することを特徴とするボイラーの制御装置。
【発明の詳細な説明】
【０００１】
【発明の属する技術分野】
本発明は、ボイラーに制御手順を指示するコンピュータと、このコンピュータに情報を入力する操作部と、前記コンピュータが前記ボイラーに対して指示する制御プログラムを格納してあるプログラムメモリと、このプログラムメモリに格納されているプログラム手順の中に選択肢がある場合に、いずれをを選択するかを設定するための複数の設定値を記憶するデータメモリとを備えたボイラーの制御装置に関する。
【０００２】
【従来の技術】
係るボイラーの制御装置の従来技術として図３に示されるものがある。制御装置２は、ボイラー本体１の制御をするものであり、ボイラー本体１に制御手順を指示するマイコン (コンピュータ）２０と、ＣＲＴ等の表示装置２１と制御プログラムを格納したプログラムメモリ２２と、スイッチ２３ａ，２３ｂ，・・・・・・２３ｎとを備えている。スイッチ２３ａ・・・・は、プログラム手順の中に選択肢がある場合に、いずれを選択するかを設定するための機械的なスイッチでありディップスイッチと呼ばれるものである。選択肢としては目標温度の設定値であるとか圧力の設定値などがあげられる。このような設定値を各スイッチ２３ａ・・・・を操作することにより選択し、選択された設定値に基づいて所定のプログラムを実行するようにしている。
【０００３】
この従来技術の問題点は設定すべき設定値の数だけスイッチが必要なことであり、製造コストが増加すること、そして装置の大型化を招くことである。かかる問題点を解決した従来技術としては図４に示されるものがある。
【０００４】
この改良型従来技術ではスイッチの代わりに、プログラムメモリに格納されているプログラム手順の中に選択肢がある場合に、いずれをを選択するかを設定するための複数の設定値を記憶するデータメモリ２５を設けている。データメモリ２５には設定値２５ａ、２５ｂ、・・・・・・２５ｎがデータとして書き込まれており、これら設定値２５ａ，２５ｂ・・・・・・２５ｎはスイッチ２３ａ，２３ｂ・・・・・・２３ｎに対応するものである。設定値を書き換えるには、マイコン２０に接続された操作部として機能する操作ボタン２４を操作して、各設定値を順番に呼び出しＯＮかＯＦＦかのいずれかに設定する。この構成によれば、データメモリ２５を設けることにより、機械的なスイッチを廃止することができるので製造コストや装置の大型化を防ぐという点では利点がある。
【０００５】
【発明が解決しようとする課題】
しかしながら、各設定値を初期状態から書き換えてしまうと、それを確認するためにはオペレータはマニュアルを片手に参照しながら確認することになるので非常に煩雑な手間を要する。特に、操作ボタン２４を操作しながら順に各設定値を呼び出しながらの確認であるから、設定項目が増えてくると確認のために多大な時間を要するという問題があり改善の余地があった。
【０００６】
本発明は上記実状にかんがみてなされたものであり、その目的は、機械的スイッチを廃止してコストダウンを図りながらも設定値の確認も容易に行うことができるボイラーの制御装置を提供することである。
【０００７】
【課題を解決するための手段】
上記目的を達成するため、本発明に係るボイラーの制御装置は、ボイラーに制御手順を指示するコンピュータと、このコンピュータに情報を入力する操作部と、前記コンピュータが前記ボイラーに対して指示する制御プログラムを格納してあるプログラムメモリと、このプログラムメモリに格納されているプログラム手順の中に選択肢がある場合に、いずれを選択するかを設定するための複数の設定値を記憶するデータメモリとを備えたボイラーの制御装置において、前記データメモリは、初期状態の設定値を記憶する標準設定値記憶エリアと、現在の設定値を記憶する現在設定値記憶エリアとを備えている。
【０００８】
この構成によると、データメモリには少なくとも標準設定値記憶エリアと、現在設定値記憶エリアとが備えられている。標準設定値記憶エリアは初期状態の設定値が書き込まれており、データは固定された状態にある。現在設定値記憶エリアには現在の設定値が書き込まれる。したがって、現在の設定値と初期状態の設定値の両方がデータとして書き込まれているから、これらを比較することにより変更されている設定値を容易に確認することができる。
【０００９】
そして、本発明に係るボイラーの制御装置は、前記コンピュータに接続された表示部と、前記初期状態の設定値と前記現在の設定値を比較する設定値比較手段とを備え、前記操作部の第1の操作で、異なる設定値の総数を前記表示部に表示する。
【００１０】
これによると、オペレータによる操作で、初期状態の設定値と現在の設定値の対応するものを順次比較し、異なっているもの、すなわち初期状態から設定値の値や状態が変わっているものの総数を表示部に表示させる。表示された総数をオペレータが認識することで種々の対応を取ることができる。例えば、初期状態からすべての設定値が変更されているならば、最初から順番にチェックをしていくがごとくである。
【００１１】
さらに、本発明に係るボイラーの制御装置は、前記第1の操作に続く、前記操作部の第２の操作で、前記初期状態の設定値と前記現在の設定値とで値が異なる設定値の項目番号を前記表示部に表示する。すなわち、オペレータによる第１の操作で異なる設定値の総数が表示された後で、オペレータによる第２の操作によって、異なる設定値の総数に対応する設定値の項目番号が表示部に表示されることにより、どのような項目が変更されているのか具体的にオペレータは知ることができ、どの項目が変更されているのかをマニュアルを調べなくても直ちに知ることができる。
【００１２】
本発明のその他の特徴及び利点については、以下の図面を用いた実施形態の説明から明らかにされるであろう。
【００１３】
【発明の実施の形態】
＜本実施形態の構成＞
図１は本発明の実施形態を示すブロック図であり、すでに説明した従来技術と同じ機能をする部分は同一の図番をつけている。
【００１４】
この構成の大きな特徴はデータメモリ２６の構成であり、現在設定値記憶エリア２７と、標準設定値記憶エリア２８の二つのエリアを備えている。現在設定値記憶エリア２７には、現在設定値２７ａ，２７ｂ・・・・２７ｎが書き込まれており、標準設定値記憶エリア２８には初期設定値２８ａ，２８ｂ・・・・２８ｎが書き込まれている。標準設定値記憶エリア２８に書き込まれているデータは固定された状態であり書き換えることはできない。一方、操作ボタン２４を操作することで書き換えられた初期設定値２８ａ，２８ｂ・・・・２８ｎは、現在設定値２７ａ，２７ｂ・・・・２７ｎとして現在設定値記憶エリア２７に書き込まれるのである。ここで、初期設定値２８ａと現在設定値２７ａとが対応し、・・・・・・以下順に初期設定値２８ｎと現在設定値２７ｎとが対応するようになっている。
【００１５】
＜設定値確認手順の説明＞
次に図２のフローチャートを利用して、設定値を確認する手順を説明する。まず、操作ボタン２４の押し下げがあったか否かをチェックし（＃１０）、操作ボタン２４の押し下げがあったならば、対応する現在設定値２７ａ，２７ｂ・・・・２７ｎと初期設定値２８ａ，２８ｂ・・・・２８ｎとの比較を順番に行う（＃２０）。そして、現在設定値２７ａ，２７ｂ・・・・２７ｎと初期設定値２８ａ，２８ｂ・・・・２８ｎとで値が異なる設定値の総数をモニターで構成される表示部２１に表示する（＃３０）。次に再度操作ボタン２４が押し下げられたか否かをチェックする（＃４０）押し下げがあれば、現在設定値２７ａと初期設定値２８ａとで値が異なっている設定値の項目番号を表示部２４に表示させる（＃５０）。これにより、どのような項目が変更されているのか具体的にオペレータは知ることができる。次に、すべての設定値をチェックしたか否かをチェックする（＃６０）。まだ未チェックの設定値があればそれらも順番に比較チェックしていく。全部チェックすればルーチンは終了する。
【００１６】
制御装置を交換するような場合に、先ほどチェックして初期状態から変更されている設定値の項目についてのみ、新しい制御装置については変更すればよいので、制御装置の交換作業が容易になるという利点も生じる。
【図面の簡単な説明】
【図１】本発明の実施形態を示すブロック図
【図２】本実施形態の作動を示すフローチャート
【図３】従来技術に係る制御装置を示すブロック図
【図４】改良された従来技術に係る制御装置を示すブロック図
【符号の説明】
１          ボイラー本体
２          制御装置
２０        マイコン
２１        表示部
２２        プログラムメモリ
２３ａ，２３ｂ，２３ｎ        スイッチ
２４        操作ボタン (操作部)
２５        データメモリ
２５ａ，２５ｂ，２５ｎ        設定値
２６        データメモリ
２７        現在設定値記憶エリア
２７ａ，２７ｂ，２７ｎ        現在設定値
２８        標準設定値記憶エリア
２８ａ，２８ｂ，２８ｎ        初期設定値
【図１】
0003838783.tif 000002
【図２】
0003838783.tif 000003
【図３】
0003838783.tif 000004
【図４】
0003838783.tif 000005